(57)【特許請求の範囲】
【請求項１】
遊技機を複数有した島設備が設置された遊技場の床に配設された表示器であって、
各遊技機に対応した表示位置で点灯又は点滅することにより、その遊技機の遊技状態を表示可能とされるとともに、前記表示位置は、遊技機と対向した位置に設置されて遊技者が着座可能な椅子の背面側から所定範囲とされ、且つ、当該表示位置には、複数の点灯手段が所定形状となる如く並べられ、隣接する遊技機の遊技状態に応じて任意に範囲が変更されることを特徴とする表示器。
【請求項２】
内部に前記点灯手段が配設されるとともに遊技場の床に敷設可能な部材から成ることを特徴とする請求項１記載の表示器。
【請求項３】
前記点灯手段は、ＬＥＤから成ることを特徴とする請求項２記載の表示器。
【請求項４】
前記表示位置の点灯又は点滅により、前記遊技機の遊技により獲得した遊技価値に関する情報が表示されることを特徴とする請求項１〜３の何れか１つに記載の表示器。
【請求項５】
前記点灯手段は、任意の色にて発光させ得ることを特徴とする請求項１〜４の何れか１つに記載の表示器。
【発明の詳細な説明】
【技術分野】
【０００１】
本発明は、遊技機を複数有した島設備が設置された遊技場の床に配設された表示器に関するものである。
【背景技術】
【０００２】
パチンコ遊技機やスロットマシン等の遊技機が設置された遊技場において、従来、複数の遊技機が並設された島設備の間に位置する通路に、遊技球やメダル等の遊技媒体を収容する収容箱の設置場所を視認させるための目印が表示されたものが提案されている（例えば、特許文献１参照）。また、従来より、遊技場の床に、遊技球を敷き詰めて構成された視認可能部を設けたものも提案されている（例えば、特許文献２参照）。
【先行技術文献】
【特許文献】
【０００３】
【特許文献１】実用新案登録３１５９７１８号公報
【特許文献２】実用新案登録３０９１２２５号公報
【発明の概要】
【発明が解決しようとする課題】
【０００４】
しかしながら、上記特許文献１、２にて開示された従来技術は、リアルタイムで逐次変化する遊技機の遊技状態を表示するものではなく、単なる位置表示及び装飾としての機能を有しているに過ぎないものであった。しかるに、本出願人は、遊技機を複数有した島設備が設置された遊技場の床において、当該島設備における各遊技機の遊技状態を表示し得るものを鋭意検討するに至った。
【０００５】
本発明は、このような事情に鑑みてなされたもので、遊技場の床にて遊技機の遊技状態を表示する機能を持たせることができるとともに、当該遊技機の遊技状態について視認性を高めつつ表示させることができる表示器を提供することにある。
【課題を解決するための手段】
【０００６】
請求項１記載の発明は、遊技機を複数有した島設備が設置された遊技場の床に配設された表示器であって、各遊技機に対応した表示位置で点灯又は点滅することにより、その遊技機の遊技状態を表示可能とされるとともに、前記表示位置は、遊技機と対向した位置に設置されて遊技者が着座可能な椅子の背面側から所定範囲とされ、且つ、当該表示位置には、複数の点灯手段が所定形状となる如く並べられ、隣接する遊技機の遊技状態に応じて任意に範囲が変更されることを特徴とする。
【０００７】
請求項２記載の発明は、請求項１記載の表示器において、内部に前記点灯手段が配設されるとともに遊技場の床に敷設可能な部材から成ることを特徴とする。
【０００８】
請求項３記載の発明は、請求項２記載の表示器において、前記点灯手段は、ＬＥＤから成ることを特徴とする。
【０００９】
請求項４記載の発明は、請求項１〜３の何れか１つに記載の表示器において、前記表示位置の点灯又は点滅により、前記遊技機の遊技により獲得した遊技価値に関する情報が表示されることを特徴とする。
【００１３】
請求項５記載の発明は、請求項１〜４の何れか１つに記載の表示器において、前記点灯手段は、任意の色にて発光させ得ることを特徴とする。
【発明の効果】
【００１４】
請求項１の発明によれば、各遊技機に対応した表示位置で点灯又は点滅することにより、その遊技機の遊技状態を表示可能とされたので、遊技場の床にて遊技機の遊技状態を表示する機能を持たせることができるとともに、当該遊技機の遊技状態について視認性を高めつつ表示させることができる。
また、表示位置は、遊技機と対向した位置に設置されて遊技者が着座可能な椅子の背面側から所定範囲とされたので、遊技機と表示位置との対応を確実に行わせることができ、より適切な表示を行わせることができる。
さらに、表示位置には、複数の点灯手段が所定形状となる如く並べられたので、表示の視認性をより向上させることができるとともに、演出効果をより向上させることができる。
またさらに、表示位置は、隣接する遊技機の遊技状態に応じて任意に範囲が変更されるので、遊技機の遊技状態についてより適切かつ効率的な表示を行わせることができる。
【００１５】
請求項２の発明によれば、内部に点灯手段が配設されるとともに遊技場の床に敷設可能な部材から成るので、遊技場の床に本表示器を敷設させることでができ、既設の遊技場に容易に設置することができる。
【００１６】
請求項３の発明によれば、点灯手段は、ＬＥＤから成るので、床を遊技者等が歩くことにより繰り返し振動等が付与されても、故障等の発生を抑制することができ、長期間に亘って安定して使用することができる。
【００１７】
請求項４の発明によれば、表示位置の点灯又は点滅により、遊技機の遊技により獲得した遊技価値に関する情報が表示されるので、例えば遊技により獲得した遊技媒体が排出されない遊技機が設置された床に適用すれば、獲得した遊技媒体を収容する収容箱を床に載置してアピール度を得るものと同等のアピール度を得ることができる。
【００２１】
請求項５の発明によれば、点灯手段は、任意の色にて発光させ得るので、周囲の遊技者に対して遊技機の遊技状態をより確実に視認させることができるとともに、演出効果もより向上させることができる。
【図面の簡単な説明】
【００２２】
【図１】本発明の実施形態に係る表示器が適用される遊技場を示す模式図
【図２】同表示器を示す断面模式図
【図３】同表示器を遊技場の床に敷設した状態を示す模式図
【図４】本発明の他の実施形態に係る表示器を床に敷設した状態を示す模式図
【図５】本発明の他の実施形態に係る表示器を床に敷設した状態を示す模式図
【発明を実施するための形態】
【００２３】
以下、本発明の実施形態について図面を参照しながら具体的に説明する。
本実施形態に係る表示器は、図１に示すように、パチンコ遊技機Ｐを複数有した島設備Ｓが設置された遊技場の床に配設されたものである。本実施形態に適用される遊技場には、島設備Ｓが複数設置されており、その隣接する島設備Ｓの間に通路Ｔが形成されるとともに、パチンコ遊技機Ｐのそれぞれの前方には、遊技者が着座して遊技可能とするための椅子２が配設されている。なお、本実施形態に適用される椅子２の脚部は、遊技場の所定位置（パチンコ遊技機Ｐの前方の位置）における床に固設されている。
【００２４】
表示器１は、通路Ｔの幅と略同一寸法或いは当該通路Ｔの幅より小さい寸法の幅の長尺状部材から成るとともに、島設備Ｓの間の通路Ｔに沿って敷設されるものであり、図２に示すように、シート部材３と、フレキシブル基板４と、底部材５と、点灯手段６とから構成されている。シート部材３は、光を透過し得る透明又は半透明の樹脂材を板状に成形した可撓性部材から成るもので、その内部の所定位置には、点灯手段６が配設されている。なお、本実施形態に係る点灯手段６は、シート状部材３の内部にインサート成形されているが、シート状部材３を中空状に成形し、その中空部に点灯手段６を配設するようにしてもよい。
【００２５】
フレキシブル基板４は、表面又は裏面に所定の電気回路（不図示）が印刷等にて形成された可撓性部材から成り、当該電気回路には、複数の点灯手段６が接続されている。また、フレキシブル基板４に形成された電気回路は、島設備Ｓ（本実施形態においては、表示器１が敷設された両側の島設備Ｓ）の出力端子（不図示）と電気的に接続されており、当該島設備Ｓに配設されたパチンコ遊技機Ｐの遊技状態に応じた電気信号が付与されるようになっている。
【００２６】
底部材５は、表示器１の最下層に位置する部材から成り、例えば振動や衝撃を吸収し得る樹脂等の可撓性部材から成るものである。しかして、表示器１は、その裏面側に底部材５が位置しており、床面Ｆａ上に当該底部材５が接触した状態にて、遊技場の床Ｆに敷設されることとなる。なお、底部材５とフレキシブル基板４との間に、島設備Ｓ側とフレキシブル基板４との間を電気的に接続するための配線等を介装させるようにしてもよい。
【００２７】
点灯手段６は、ＬＥＤから成るもので、各パチンコ遊技機Ｐに対応した表示位置で点灯又は点滅することにより、そのパチンコ遊技機Ｐの遊技状態を表示可能とされている。より具体的には、点灯手段６が配設された位置（表示位置）は、図３に示すように、パチンコ遊技機Ｐと対向した位置に設置されて遊技者が着座可能な椅子２の背面側から所定範囲とされている。
【００２８】
例えば、同図に示すように、パチンコ遊技機Ｐ１を遊技する遊技者が着座する椅子２の背面側の範囲Ａ１は、当該パチンコ遊技機Ｐ１の遊技状態を表示するための表示位置、パチンコ遊技機Ｐ２を遊技する遊技者が着座する椅子２の背面側の範囲Ａ２は、当該パチンコ遊技機Ｐ２の遊技状態を表示するための表示位置、パチンコ遊技機Ｐ３を遊技する遊技者が着座する椅子２の背面側の範囲Ａ３は、当該パチンコ遊技機Ｐ３の遊技状態を表示するための表示位置とされる。
【００２９】
また、図３に示すように、パチンコ遊技機Ｐ１〜Ｐ３が配設された島設備Ｓと対向する位置に、パチンコ遊技機Ｐ４〜Ｐ６が並設された他の島設備Ｓが設置されている場合、パチンコ遊技機Ｐ４を遊技する遊技者が着座する椅子２の背面側の範囲Ａ４は、当該パチンコ遊技機Ｐ４の遊技状態を表示するための表示位置、パチンコ遊技機Ｐ５を遊技する遊技者が着座する椅子２の背面側の範囲Ａ５は、当該パチンコ遊技機Ｐ５の遊技状態を表示するための表示位置、パチンコ遊技機Ｐ６を遊技する遊技者が着座する椅子２の背面側の範囲Ａ６は、当該パチンコ遊技機Ｐ６の遊技状態を表示するための表示位置とされる。
【００３０】
しかるに、本実施形態に係る範囲Ａ１〜Ａ６には、複数の点灯手段６が平面視で所定形状（本実施形態においては、半円形状）となる如く並べられており、椅子２に近い位置（半円形状の中心部）から外側に向かって、同心円状に順次、点灯手段６を点灯させることにより、その椅子２に着座した遊技者が遊技するパチンコ遊技機Ｐの遊技状態を表示し得るようになっている。
【００３１】
ここで、本実施形態に係る表示器１は、表示位置の点灯又は点滅により、パチンコ遊技機Ｐの遊技により獲得した遊技価値に関する情報が表示されるよう構成されている。本発明における「遊技価値」とは、賞球としての遊技球、或いはそれと等しい価値自体を指し、遊技機（パチンコ遊技機Ｐ等）による遊技の結果としての当落若しくは勝ち負けによって獲得した価値をいうものである。すなわち、パチンコ遊技機Ｐは、賞球としての遊技球を遊技者側に保持させるものの他、遊技球を遊技者側に保持させることなく、単に賞球の数を計数して表示するもの（所謂、「封入式」又は「循環式」と称されるパチンコ遊技機等）であってもよく、この場合、表示された賞球の数が本発明の「遊技価値」に相当する。
【００３２】
しかして、パチンコ遊技機Ｐの遊技で、例えば大当たりが発生することにより遊技価値を獲得すると、そのパチンコ遊技機Ｐに対応する表示範囲（Ａ１〜Ａ６）の椅子２に近い側の点灯手段６が点灯又は点滅し、更に遊技価値を獲得すると、その点灯又は点滅している点灯手段６より外側の点灯手段６が点灯又は点滅することとなる。このように、遊技価値の獲得量に応じて、順次外側の点灯手段６を点灯又は点滅させることにより、周囲の遊技者に対してパチンコ遊技機Ｐの遊技状態（特に、遊技価値の獲得状況）を視認させることができる。
【００３３】
さらに、本実施形態に係る点灯手段６は、任意の色にて発光させ得るよう構成されている。これにより、例えばパチンコ遊技機Ｐにおける大当たりの発生回数や遊技価値の獲得量に応じて、点灯手段６の点灯又は点滅時の色、若しくは点滅速度等を変化させることができるようになっている。したがって、周囲の遊技者に対してパチンコ遊技機Ｐの遊技状態（特に、遊技価値の獲得状況）をより確実に視認させることができるとともに、演出効果もより向上させることができる。
【００３４】
しかるに、上記表示器１に代えて、例えば図４、５に示すように、表示位置が、隣接するパチンコ遊技機Ｐの遊技状態に応じて任意に範囲が変更される表示器１’としてもよい。この場合、例えば、隣接するパチンコ遊技機Ｐ１及びパチンコ遊技機Ｐ３に大当たりが発生していないパチンコ遊技機Ｐ２において、大当たりが発生して遊技価値を獲得すると、図４に示すように、隣接するパチンコ遊技機Ｐ１及びパチンコ遊技機Ｐ３（同図においてはパチンコ遊技機Ｐ５も同様）の表示範囲に至る範囲Ｂ２にて、点灯手段６が点灯又は点滅するものとする。
【００３５】
一方、隣接するパチンコ遊技機Ｐ１及びパチンコ遊技機Ｐ３（同図においてはパチンコ遊技機Ｐ５も同様）に大当たりが発生すると、図５に示すように、パチンコ遊技機２に対応する範囲Ｂ２’内でのみ、点灯手段６が点灯又は点滅するよう構成されている。かかる他の実施形態によれば、表示位置は、隣接するパチンコ遊技機の遊技状態に応じて任意に範囲が変更されるので、パチンコ遊技機の遊技状態についてより適切かつ効率的な表示を行わせることができる。
【００３６】
上記実施形態に係る表示器１によれば、各パチンコ遊技機Ｐに対応した表示位置で点灯又は点滅することにより、そのパチンコ遊技機Ｐの遊技状態を表示可能とされたので、遊技場の床Ｆにてパチンコ遊技機Ｐの遊技状態を表示する機能を持たせることができるとともに、当該パチンコ遊技機Ｐの遊技状態について視認性を高めつつ表示させることができる。
【００３７】
また、実施形態に係る表示器１によれば、内部に点灯手段６が配設されるとともに遊技場の床Ｆに敷設可能な部材から成るので、遊技場の床Ｆに本表示器１を敷設させることでができ、既設の遊技場に容易に設置することができる。また、表示器１を構成するシート部材３等を任意に切断、又は幅方向若しくは長手方向に並べることで、種々レイアウトに設定された遊技場の床Ｆに対応させて敷設することができ、レイアウトの自由度を向上させることができる。
【００３８】
さらに、本実施形態に係る点灯手段６は、ＬＥＤから成るので、床を遊技者等が歩くことにより繰り返し振動等が付与されても、故障等の発生を抑制することができ、長期間に亘って安定して使用することができる。またさらに、表示位置における点灯手段６の点灯又は点滅により、パチンコ遊技機Ｐの遊技により獲得した遊技価値に関する情報（遊技価値の獲得量）が表示されるので、例えば遊技により獲得した遊技媒体が排出されない遊技機が設置された床に適用すれば、獲得した遊技媒体を収容する収容箱を床に載置してアピール度を得るものと同等のアピール度を得ることができる。
【００３９】
また、本実施形態に係る表示位置は、パチンコ遊技機Ｐと対向した位置に設置されて遊技者が着座可能な椅子２の背面側から所定範囲とされたので、パチンコ遊技機Ｐと表示位置との対応を確実に行わせることができ、より適切な表示を行わせることができる。さらに、本実施形態に係る表示位置には、複数の点灯手段６が所定形状となる如く並べられたので、表示の視認性をより向上させることができるとともに、演出効果をより向上させることができる。
【００４０】
以上、本実施形態について説明したが、本発明はこれに限定されるものではなく、例えば点灯手段６をシート部材３の外部（例えば島設備Ｓにおけるパチンコ遊技機Ｐの下方位置等）に配設するものとし、パチンコ遊技機Ｐに対応した表示位置まで点灯手段６の光を導くことにより当該パチンコ遊技機Ｐの遊技状態を表示させるよう構成してもよい。また、ＬＥＤから成る点灯手段６に代えて、例えば有機ＥＬやＬＣＤ（液晶ディスプレイ）等の他の形態の表示手段とし、パチンコ遊技機Ｐの遊技状態を表示させるよう構成してもよい。
【００４１】
なお、本発明に係る表示器が設置されるべき遊技場は、パチンコホールに限らずゲームセンター等であってもよく、適用される遊技機は、パチンコ遊技機の他、スロットマシン等の他の遊技機であってもよい。さらに、本実施形態においては、パチンコ遊技機Ｐの遊技により獲得した遊技価値に関する情報が表示されるものとされているが、当該パチンコ遊技機Ｐの遊技状態を示す表示であれば、他の情報（例えば、大当たりが発生した旨の情報等）を表示させるものとしてもよい。
【産業上の利用可能性】
【００４２】
遊技機を複数有した島設備が設置された遊技場の床に配設された表示器であって、各遊技機に対応した表示位置で点灯又は点滅することにより、その遊技機の遊技状態を表示可能とされるとともに、表示位置は、遊技機と対向した位置に設置されて遊技者が着座可能な椅子の背面側から所定範囲とされ、且つ、当該表示位置には、複数の点灯手段が所定形状となる如く並べられ、隣接する遊技機の遊技状態に応じて任意に範囲が変更される表示器であれば、外観形状が異なるもの或いは他の機能が付加されたもの等にも適用することができる。
【符号の説明】
【００４３】
１、１’  表示器
２  椅子
３  シート部材
４  フレキシブル基板
５  底部材
６  点灯手段
Ｐ  パチンコ遊技機
Ｓ  島設備
【図１】
0005914181.tif 000002
【図２】
0005914181.tif 000003
【図３】
0005914181.tif 000004
【図４】
0005914181.tif 000005
【図５】
0005914181.tif 000006